【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
移動通信システムにおける基地局の動作方法であって、
複数の同期チャネルを介して送信される複数の同期信号を生成する過程と、
複数の放送チャネルを介して送信される複数の放送信号を生成する過程と、
前記複数の同期信号及び前記複数の放送信号を含む、互いに異なる方向を有する複数の送信ビームを送信する過程と、
前記複数の送信ビームの中から選択された送信ビームに対する識別子を含むフィードバック情報を受信する過程と、を含み、
前記複数の同期信号の中の１つは、前記複数の放送信号の中の１つと対をなし、
前記複数の同期信号のそれぞれは、１つの同期信号及び１つの放送信号の対を含む方法。
【請求項２】
前記複数の同期信号のそれぞれは、セル識別子、該当同期信号に適用された送信ビーム識別子の中の少なくとも１つを指示する請求項１に記載の方法。
【請求項３】
前記セル識別子及び前記送信ビーム識別子の中の少なくとも１つは、該当同期信号を構成するシーケンス、該当同期信号がマッピングされた副搬送波の位置、該当同期信号に対するスクランブリングコード、カバーリングコードの中の少なくとも１つによって指示される請求項２に記載の方法。
【請求項４】
前記複数の放送信号のそれぞれは、該当放送信号に適用された送信ビーム識別子を指示する請求項１に記載の方法。
【請求項５】
前記送信ビーム識別子は、システム情報に含まれた情報項目、前記システム情報に適用されるスクランブリングコードの中の少なくとも１つによって指示される請求項４に記載の方法。
【請求項６】
前記複数の送信ビームを送信する過程は、
一つのセルに含まれる多数のアンテナ領域それぞれに割り当てられた多数のアンテナグループのうち第１アンテナグループを利用して第１アンテナ領域のための送信ビームを形成する過程と、
前記多数のアンテナグループのうち第２アンテナグループを利用して第２アンテナ領域のための送信ビームを形成する過程と、を含む請求項１に記載の方法。
【請求項７】
前記複数の送信ビームを送信する過程は、
前記第１アンテナ領域のための送信ビーム及び前記第２アンテナ領域のための送信ビームを同時に形成する過程を含む請求項６に記載の方法。
【請求項８】
前記複数の同期信号のそれぞれは、該当同期信号を送信するアンテナグループに対応するアンテナ領域のアンテナ領域識別子を指示する請求項６に記載の方法。
【請求項９】
移動通信システムにおける端末の動作方法であって、
複数の同期信号及び複数の放送信号を含む、基地局によって送信された互いに異なる方向を有する複数の送信ビームの中の１つの送信ビームを受信する過程と、
前記送信ビームに含まれた同期信号及び放送信号に基づいて前記送信ビームをデコーディングする過程と、
前記送信ビームを指示する識別子を含むフィードバック情報を前記基地局に送信する過程と、を含み、
前記複数の同期信号の中の１つは、前記複数の放送信号の中の１つと対をなし、
前記複数の送信ビームのそれぞれは、１つの同期信号及び１つの放送信号の対を含む方法。
【請求項１０】
前記複数の同期信号のそれぞれは、セル識別子、該当同期信号に適用された送信ビーム識別子の中の少なくとも１つを指示する請求項９に記載の方法。
【請求項１１】
前記セル識別子及び前記送信ビーム識別子の中の少なくとも１つは、該当同期信号を構成するシーケンス、該当同期信号がマッピングされた副搬送波の位置、該当同期信号に対するスクランブリングコード、カバーリングコードの中の少なくとも１つによって指示される請求項１０に記載の方法。
【請求項１２】
前記複数の放送信号のそれぞれは、該当放送信号に適用された送信ビーム識別子を指示する請求項９に記載の方法。
【請求項１３】
前記送信ビーム識別子は、システム情報に含まれた情報項目、前記システム情報に適用されるスクランブリングコードの中の少なくとも１つによって指示される請求項１２に記載の方法。
【請求項１４】
前記送信ビームに含まれた前記放送信号からシステム情報を獲得する過程をさらに含む請求項９に記載の方法。
【請求項１５】
前記送信ビームに含まれた放送信号及び他の送信ビームに含まれた他の放送信号を結合する過程と、
結合された放送信号をデコーディングする過程と、を含む請求項１４に記載の方法。
【請求項１６】
前記システム情報を利用してフレーム同期を獲得する過程を更に含む請求項１４に記載の方法。
【請求項１７】
前記フレーム同期を獲得する過程は、
前記システム情報を利用して前記同期チャネル及び前記放送チャネルが繰り返し送信される区間の境界を決定する過程と、
前記区間の境界からフレームの境界を決定する過程と、を含む請求項１６に記載の方法。
【請求項１８】
前記システム情報を利用して前記同期チャネル及び前記放送チャネルが繰り返し送信される区間の境界を決定する過程は、
前記システム情報を介して前記基地局から送信される同期チャネルの個数を確認する過程と、
前記送信ビームの個数を利用して検出された前記同期チャネルに続いていくつの同期チャネルが位置するのかを計算する過程と、を含む請求項１７に記載の方法。
【請求項１９】
前記１つの送信ビームを受信する過程は、
同じ送信ビームにビームフォーミングされた同期チャネルを互いに異なる受信ビームを適用しながら検出する過程を含み、
受信信号強度を最大化する好ましい送信ビーム及び好ましい受信ビームの組み合わせを決定する過程を含む請求項９に記載の方法。
【請求項２０】
無線通信システムにおける基地局装置であって、
複数の同期チャネルを介して送信される複数の同期信号を生成し、複数の放送チャネルを介して送信される複数の放送信号を生成する制御部と、
前記複数の同期信号及び前記複数の放送信号を含む、互いに異なる方向を有する複数の送信ビームを送信する送信部と、
前記複数の送信ビームの中から選択された送信ビームに対する識別子を含むフィードバック情報を受信する受信部と、を含み、
前記複数の同期信号の中の１つは、前記複数の放送信号の中の１つと対をなし、
前記複数の送信ビームのそれぞれは、１つの同期信号及び１つの放送信号の対を含む装置。
【請求項２１】
前記複数の同期信号のそれぞれは、セル識別子、該当同期信号に適用された送信ビーム識別子の中の少なくとも１つを指示する請求項２０に記載の装置。
【請求項２２】
前記セル識別子及び前記送信ビーム識別子の中の少なくとも１つは、該当同期信号を構成するシーケンス、該当同期信号がマッピングされた副搬送波の位置、該当同期信号に対するスクランブリングコード、カバーリングコードの中の少なくとも１つによって指示される請求項２１に記載の装置。
【請求項２３】
前記複数の放送信号のそれぞれは、該当放送信号に適用された送信ビーム識別子を指示する請求項２０に記載の装置。
【請求項２４】
前記送信ビーム識別子は、システム情報に含まれた情報項目、前記システム情報に適用されるスクランブリングコードの中の少なくとも１つによって指示される請求項２３に記載の装置。
【請求項２５】
前記送信部は、１つのセルに含まれる複数のアンテナ領域のそれぞれに割り当てられた複数のアンテナグループの中の第１アンテナグループを利用して第１アンテナ領域のための送信ビームを形成し、前記複数のアンテナグループの中の第２アンテナグループを利用して第２アンテナ領域のための送信ビームを形成する請求項２０に記載の装置。
【請求項２６】
前記送信部は、前記第１アンテナ領域のための送信ビーム及び前記第２アンテナ領域のための送信ビームを同時に形成する請求項２５に記載の装置。
【請求項２７】
前記複数の同期信号のそれぞれは、該当同期信号を送信したアンテナグループに対応するアンテナ領域のアンテナ領域識別子を指示する請求項２５に記載の装置。
【請求項２８】
無線通信システムにおける端末装置であって、
複数の同期信号及び複数の放送信号を含む、基地局によって送信された互いに異なる方向を有する複数の送信ビームの中の１つの送信ビームを受信し、前記送信ビームに含まれた同期信号及び放送信号に基づいて前記送信ビームをデコーディングする受信部と、
前記送信ビームを指示する識別子を含むフィードバック情報を前記基地局に送信する送信部と、を含み、
前記複数の同期信号の中の１つは、前記放送信号の中の１つと対をなし、
前記複数の送信ビームのそれぞれは、１つの同期信号及び１つの放送信号の対を含む装置。
【請求項２９】
前記複数の同期信号のそれぞれは、セル識別子、該当同期信号に適用された送信ビーム識別子の中の少なくとも１つを指示する請求項２８に記載の装置。
【請求項３０】
前記セル識別子及び前記送信ビーム識別子の中の少なくとも１つは、該当同期信号を構成するシーケンス、該当同期信号がマッピングされた副搬送波の位置、該当同期信号に対するスクランブリングコード、カバーリングコードの中の少なくとも１つによって指示される請求項２９に記載の装置。
【請求項３１】
前記複数の放送信号のそれぞれは、該当放送信号に適用された送信ビーム識別子を指示する請求項２８に記載の装置。
【請求項３２】
前記送信ビーム識別子は、システム情報に含まれた情報項目、前記システム情報に適用されるスクランブリングコードの中の少なくとも１つによって指示される請求項３１に記載の装置。
【請求項３３】
前記送信ビームに含まれた前記放送信号からシステム情報を獲得する制御部をさらに含む請求項２８に記載の装置。
【請求項３４】
前記受信部は、前記送信ビームに含まれた放送信号及び他の送信ビームに含まれた他の放送信号を結合し、結合された複数の放送信号をデコーディングする請求項３３に記載の装置。
【請求項３５】
前記制御部は、前記システム情報を利用してフレーム同期を獲得する請求項３３に記載の装置。
【請求項３６】
前記制御部は、前記システム情報を利用して前記複数の同期チャネル及び前記複数の放送チャネルが繰り返し送信される区間の境界を決定し、前記区間の境界からフレームの境界を決定する請求項３５に記載の装置。
【請求項３７】
前記制御部は、前記システム情報を利用して前記複数の同期チャネル及び前記複数の放送チャネルが繰り返し送信される区間の境界を決定するために、前記システム情報を介して前記基地局で送信される同期チャネルの個数を確認し、前記送信ビームの個数を利用して検出された前記同期チャネルに続いて幾つの同期チャネルが位置するかを計算する請求項３６に記載の装置。
【請求項３８】
前記受信部は、同じ送信ビームにビームフォーミングされた複数の同期チャネルを互いに異なる受信ビームを適用して検出し、
受信信号強度を最大化する好ましい送信ビーム及び好ましい受信ビームの組み合わせを決定する制御部をさらに含む請求項３３に記載の装置。